(57)【要約】      （修正有）【課題】訓練用消火器を用いて放射訓練をおこなう際に使用される標的器を軽量で嵩張らず、しかも訓練時にゲーム感覚で訓練者に面白みを持たせる。【解決手段】フロアプレート１と、フロアプレート上に植立させたポール５と、ポールの上方部に取り付けられる火炎表示プレート７とからなる標的器において、フロアプレートの底面には標的器の転倒時に消火が成功したことを意味する成功表示を施してなる。これにより放水が標的に当たると標的器の転倒に伴って、底面に施された成功表示が表示されるから訓練者をはじめとし参加者全員に意外性と面白みを与えることができ、単調になりがちの消火訓練を、より一層楽しく、しかも和やかなものとすることができ、ゲーム感覚で消火訓練に興味を持たせることにより消火訓練の実効性をより一層向上させることができる。【選択図】図４
0003120570.tif 000002
【実用新案登録請求の範囲】
【請求項１】
フロアプレートと、該フロアプレート上に植立させたポールと、該ポールの上方部に取り付けられる火炎表示プレートとからなる標的器において、フロアプレートの底面には標的器の転倒時に消火が成功したことを意味する成功表示を施してなることを特徴とした消火訓練用標的器。
【請求項２】
フロアプレートが略方形であるか、あるいは少なくとも後部縁が直線状であるところの請求項１に記載の消火訓練用標的器。
【請求項３】
フロアプレートの底面に施されたところの、標的器の転倒時に消火が成功したことを意味する成功表示が「消火」「鎮火」あるいは「消火成功」などの文字であるところの請求項１に記載の消火訓練用標的器。
【請求項４】
フロアプレートの底面に施されたところの、標的器の転倒時に消火が成功したことを意味する成功表示が図形であるところの請求項１に記載の消火訓練用標的器。
【請求項５】
フロアプレートの底面には、床面との間に若干の隙間を形成するための嵩上げ材が施されているところの請求項１に記載の消火訓練用標的器。
【請求項６】
ポールのフロアプレート寄りの部分を後方に向けて湾曲突出させてなるところの請求項１に記載の消火訓練用標的器。
【請求項７】
ポールの上方部に取り付けられる火炎表示プレートの正面側には標的表示として「炎」あるいは「火炎」「火災」などの文字、あるいは火炎や火煙、または「◎」のような火災発生箇所を見立てた絵柄などの図形、のうち少なくとも一方かあるいは両方が施されているところの請求項１に記載の消火訓練用標的器。
【請求項８】
ポールの上方部に取り付けられる火炎表示プレートの裏面側には後方転倒時の衝撃を緩衝するための緩衝材が施されているところの請求項１に記載の消火訓練用標的器。
【考案の詳細な説明】
【技術分野】
【０００１】
本考案は、消火器の使用に慣れるために水や粉末等の擬似消火剤を入れた訓練用消火器を用いて放射訓練をおこなう際に使用される標的器に関し、訓練環境において実用的であり、しかも消火器から噴射される消火剤あるいは放水などの標的として一定の距離を隔てた位置より擬似火災の想定が容易であり、また放射により命中した場合に転倒しやすく、かつ転倒による消火成功が確実に視認できるとともにゲーム感覚で消火訓練に興味を持たせるようにすることを目的とする。
【背景技術】
【０００２】
消火訓練用の標的としては、これまでに実開平７−３７２１９号公報（特許文献１）に開示された標的塔が知られている。これは消防自動車の消防士のための訓練用のもので、ある程度遠距離から標的とするものであるが、下部を相互に開脚自在とした４本の脚の上端に固定板を取り付けるとともに、該固定板上に脚取り付け板および防止板ならびに標的操作板を介して、中央に「火」などの表示を施した円盤状の標的部が取り付けられている。
【０００３】
また、消火器を用いた訓練用の標的としては、可搬式のケース台の内部に赤色回転灯および模擬炎パネルを配し、その下にレベルセンサと電磁弁とを備えた小型水溜槽を設け、ケース台上部に音声合成ユニットおよびスピーカーを配し、これらを電源接続して、赤色回転灯を作動させるとともに模擬炎を炎上・拡大させつつ火災擬音を発し、しかもスピーカーより消火手順が流され、この手順に従って訓練者が水消火器を上記した模擬炎に向けて水を放射し、上記した模擬炎および赤色回転灯を停止させることにより模擬的に消火をおこなうようにした消火訓練自動指導システムが知られている（特開平１０−１１１６４０号公報参照）。
【特許文献１】実開平７−３７２１９号公報
【特許文献２】特開平１０−１１１６４０号公報
【考案の開示】
【考案が解決しようとする課題】
【０００４】
しかしながら、特許文献１に開示された標的塔は消防士のための訓練用のもので、標的塔に対してある程度遠距離から消火ホースを持って放水するものであるために、主に運動場や河川敷などの広い屋外環境において用いられるように設計されている。したがってこれを一般消火器の放射訓練用に簡素化して製作することも不可能ではないが、一般消火器の放射訓練は屋外で実施される場合もあるが、室内における一般火災の消火に訓練の重点があるところから主に駐車場や工場屋内での使用が中心となるために、放射水が当たって標的が単に転倒するだけでは面白みに欠け、また取り扱いの簡便さが不足する。
【０００５】
また特許文献２に開示された消火訓練自動指導システムにあっては、消火器を用いた訓練指導システムではあるが、構造が複雑であり、また電源を必要とするためにどこでも使用できるというわけではない。またシステム全体が必然的に高価となり、不使用時においては格納スペースを必要とするなど使い勝手が悪く汎用性に欠けるものである。
【課題を解決するための手段】
【０００６】
そこで本考案は、簡便な構成でありながら操作性および低コストで、しかも訓練時の面白みがあり、また不使用時に邪魔にならない汎用性の高い消火訓練用標的器を提供するものであり、具体的にはフロアプレートと、該フロアプレート上に植立させたポールと、該ポールの上方部に取り付けられる火炎表示プレートとからなる標的器において、フロアプレートの底面には標的器の転倒時に消火が成功したことを意味する成功表示を施してなることを特徴とした消火訓練用標的器に関する。
【考案の効果】
【０００７】
本考案はフロアプレートの底面に、標的器の転倒時に消火が成功したことを意味する成功表示を施してなるものであるために、消火器を用いた消火訓練に際して放射した水などが標的となる火炎表示プレートに命中すると標的器が後方に転倒し、これに伴ってフロアプレートの底面が放射した訓練者のほうに向けて植立するので、そこに施されている「消火成功」の文字など消火が成功したことを意味する成功表示が表示されるから訓練者をはじめとし参加者全員に意外性と面白みを与えることができ、単調になりがちの消火訓練を、より一層楽しく、しかも和やかなものとすることができ、ゲーム感覚で消火訓練に興味を持たせることにより消火訓練の実効性をより一層向上させることができる。
【０００８】
またフロアプレートが略方形であるか、あるいは少なくとも後部縁が直線状である場合には、放水などが火炎表示プレートに命中した際に、確実に後方に向けて転倒するために、フロアプレートの底面が訓練者のほうに向けて植立しやすくなり、成功表示が十分に確認できる。さらにフロアプレートの底面には、床面との間に若干の隙間を形成するための嵩上げ材が施されているために、訓練場にある程度の水が溜まっても、標的器自体が浮き上がって不用意に転倒するようなことがない。
【０００９】
さらにポールのフロアプレート寄りの部分を後方に向けて湾曲突出させてなるために、標的器が後方に転倒する際、上記湾曲部により転倒速度が緩和され、急激な転倒によるバウンドを受けて標的器が位置ずれし、成功表示が表示されたフロアプレートの向きが不用意に変化するのを防止することができる。さらに火炎表示プレートの裏面側には後方転倒時の衝撃を緩衝するための緩衝材が施されているために、上記したポールの後方に向けて突出させた湾曲部と相俟って標的器の耐久性を向上させることができる。
【考案を実施するための最良の形態】
【００１０】
以下において本考案の具体的な内容を図１〜４に示す実施例をもとに説明すると、１はフロアプレート、５は該フロアプレート上に植立させたポール、７は該ポール５の上方部に取り付けられる火炎表示プレートをあらわしている。フロアプレート１はプラスチックや木板など床面Ｆ上に載置可能な略方形の平板状をなし、上面の後方寄りに位置して左右一対のホルダー２・２が設けられ、また底面（裏面）には標的器の転倒時に消火が成功したことを意味する成功表示４が施され、さらにその四隅には床面Ｆとの間に若干の隙間を形成するための嵩上げ材３・３が施されている。
【００１１】
なお、底面に施される成功表示４については、具体的には「消火」「鎮火」あるいは「消火成功」などの文字表示、あるいは炎が消えた白煙のみの絵柄などの図形、あるいは上記の文字と図形との組み合わせなどが考えられる。またフロアプレート１の形状については放水などが火炎表示プレートに命中した際に、確実に後方に向けて転倒し、フロアプレートの底面が訓練者のほうに向けて植立して成功表示が十分に確認できるようにするために上記の実施例では略方形としたが、必ずしも上記に限られるものではなく、少なくとも後部縁が直線状となるようにし、あるいは後方部の左右両端部のみを均等に後方に向けて突出させるようにしてもよい。
【００１２】
ポール５はアルミあるいはプラスチックなどからなる２本のパイプ材が用いられ、フロアプレート１に取り付ける片側端部寄りの部分（フロアプレート寄りの部分）をそれぞれ後方に向けて湾曲突出させて湾曲突出部６・６を形成するとともに、該部分の先端付近を前方に向けて折り曲げることにより略Ｌ字状に構成されている。該ポール５は上記した湾曲突出部６・６を形成した側の端部をフロアプレート１のホルダー２・２内に差し込み固定することによりそれぞれフロアプレート１上に植立させ、その状態においてポール５・５のフロアプレート１寄りの部分を後方に向けて湾曲突出させるように構成される。
【００１３】
火炎表示プレート７は、既述したフロアプレート１と同様にプラスチックや木板などの板材が用いられ、裏面側にはポール５・５の上端部を固定するための一対のホルダー８・８が取り付けられ、このホルダー８・８内に前記したポール５・５の上端部を差し込んで固定することによりフロアプレート１の平面に対して略直角となるように保持される。
【００１４】
さらに火炎表示プレート７の正面側には標的表示９として火炎の図形があらわされている。なおこの場合の標的表示９としては、これ以外にも火煙、または「◎」のような火災発生箇所を見立てた絵柄などの図形、あるいは「炎」あるいは「火炎」「火災」などの文字、のうち少なくとも一方かあるいは両方であってもよい。なお１０は火炎表示プレート７の裏面側に施されたところの後方転倒時の衝撃を緩衝するための緩衝材をあらわしている。なお上記により構成された標的器の全体重量については、訓練に用いられる消火器の水勢如何にもよるが、一般的には２５０〜８００ｇ程度の範囲内とするのが好ましい。
【００１５】
上記の構成からなる消火訓練用標的器を図４に示したように消火訓練場の床Ｆ上に、火炎表示プレート７の正面側を消火器を持った訓練者Ｔに向けて設置し、訓練者Ｔは標的器から通常は３〜８ｍ程度離れた位置から標的器の火炎表示プレート７に形成された標的表示９に向けて水などを放水する。放水が見事火炎表示プレート７の標的表示９に命中すると標的器は後方に転倒し、転倒とともにポール５・５を介してフロアプレート１が起き上がり、フロアプレート１の底面に施された成功表示４が訓練者Ｔに向けて表示され、これによって消火が成功したことを認識させることができる。
【図面の簡単な説明】
【００１６】
【図１】本考案の一実施例である消火訓練用標的器の正面図（Ａ）および背面図（Ｂ）。
【図２】図１にあらわした消火訓練用標的器の右側面図。
【図３】図１にあらわした消火訓練用標的器の底面図。
【図４】本考案の消火訓練用標的器の使用状態をあらわした概略側面図。
【符号の説明】
【００１７】
１        フロアプレート
２        ホルダー
３        嵩上げ材
４        成功表示
５        ポール
６        湾曲突出部
７        火炎表示プレート
８        ホルダー
９        標的表示
１０      緩衝材
【図１】
0003120570.tif 000003
【図２】
0003120570.tif 000004
【図３】
0003120570.tif 000005
【図４】
0003120570.tif 000006